(57)【要約】      （修正有）【課題】ゴキブリとその他の虫のいずれをも捕獲対象とすることができ、虫を潰すことなく捕獲袋に容易に虫を入れられる虫捕獲器を提供する。【解決手段】フレーム１４に持ち手部１６が形成された捕獲器本体と、該捕獲器本体のフレーム１４に一端部が閉じもう一端部が開口するように取り付けられた複数個の袋２からなる虫捕獲袋６と、該虫捕獲袋６内に虫９が入ったときに該虫捕獲袋６の開口部を閉じる閉じ具１８とを備えている虫捕獲器１である。【選択図】図２
2017035053.tif 000002
【特許請求の範囲】
【請求項１】
フレームに持ち手部が形成された捕獲器本体と、該捕獲器本体のフレームに一端部が閉じもう一端部が開口するように取り付けられた複数個の袋からなる虫捕獲袋と、該虫捕獲袋内に虫が入ったときに該虫捕獲袋の開口部を閉じる閉じ具とを備えていることを特徴とする虫捕獲器。
【請求項２】
前記複数個の袋の一部又は全部を、内部が見える透明又は半透明の透光性素材とし、前記複数個の袋の形状を一端が閉じた筒状にした筒状の袋を備えていることを特徴とする請求項１に記載の虫捕獲器。
【請求項３】
前記複数個の袋を捕獲器本体から着脱するための着脱手段を設けたことを特徴とする請求項１又は２に記載の虫捕獲器。
【請求項４】
前記フレームの外周面の下端にエッジ部が設けられており、虫捕獲時に前記エッジ部が接する箇所の捕獲面とフレーム下面との間にスペースが設けられていることを特徴とする請求項１〜３のいずれかに記載の虫捕獲器。
【発明の詳細な説明】
【技術分野】
【０００１】
本発明は虫を捕獲するための手動の虫捕獲器に関するものである。          
【背景技術】
【０００２】
室内に侵入した虫を除去するために薬品を使用することは、健康への悪影響の懸念などから抵抗感がある。また、室内への侵入を防ぐ害虫防除剤は、設置しても室内への虫の侵入を完全には防ぐことができないという欠点がある。こうした抵抗感、欠点を薬品を使うことなく解消し、粘着剤や掃除機のような吸引機も用いず、かつ虫をつぶすことなく捕獲するための虫捕獲器に関する種々の従来技術がある。
【０００３】
たとえば、特許文献１では、室内に侵入した虫を退治するための蚊取り線香や薬品を蒸発させる方法によって生じる煙や化学物質の発生による不快を感じさせない虫取り網として、網の形状を丸ではなく四角とすることで、天井、壁、隅、カーテンに止まる虫も捕まえ易いことを特徴とする虫取り網が提案されている。
【０００４】
一方、特許文献２では、ゴキブリを殺さずに、且つ直接手を触れずに捕獲することが可能で、安価な費用で半永久的に使用することができるゴキブリ捕獲器として、ゴキブリを手に触れずかぶせて捕獲すべく、大略ひしゃく状に形成された捕獲器本体に、使い捨ての捕獲袋を着脱自在に取付けるようにした捕獲器であって、前記捕獲器本体を、下面が開放された捕捉容器部とパイプ状の持ち手部とにより中空状に形成するととともに、透明又は半透明な素材を用いて、ゴキブリの動きを視認可能に形成したことを特徴とするゴキブリ捕獲器が提案されている。
【先行技術文献】
【特許文献】
【０００５】
【特許文献１】特開２００９−２０１３９１
【特許文献２】特開２００４−９７１９８
【発明の概要】
【発明が解決しようとする課題】
【０００６】
しかしながら、特許文献１に記載の技術では、網の中ほどにある口を閉じるための巾着のような構造に虫が達するまでの間の空間が広いため、その口を閉じるための巾着のような構造にまで虫が達するのが容易ではなく、虫が網の内部で動き回ってしまう。
さらに、記載の技術では虫の生け捕りのみを目的としており、薬剤を使わずに殺処分するという選択を行うことはできない。
また、虫の付着した網を繰り返し使うことになり、不衛生であるという問題点があった。
【０００７】
一方、特許文献２に記載の技術では、ゴキブリ以外の虫を捕獲対象にできない。
また、捕捉容器部内にゴキブリが動き回ってしまうほどの広い空間があるために、捕獲袋にゴキブリが即座に直接入ることはない。
さらに、いったん捕獲袋内に入ったゴキブリが筒状の持ち手部内を逆走するなどして再び捕獲袋外に逃げ出す恐れもある。
これに加え、捕獲袋をはずす際に、脱走を防ぐためにゴキブリを捕獲袋の上から間接的に手で押さえ込む必要がある。
また、そもそも捕まえたゴキブリを袋ごとゴミ箱に捨てるためのものであって、外に逃がすという選択をも提供するという目的を持って作られていない。
この他にも、ゴキブリが付着した捕獲袋は交換可能だが、繰り返し使う捕獲器本体と持ち手部にはゴキブリが直接付着するので、衛生的ではない等の問題点があった。
本発明は、以上の問題点を解決するためになされたものである。
【課題を解決するための手段】
【０００８】
本発明１の虫捕獲器は、フレームに持ち手部が形成された捕獲器本体と、該捕獲器本体のフレームに一端部が閉じもう一端部が開口するように取り付けられた複数個の袋からなる虫捕獲袋と、該虫捕獲袋内に虫が入ったときに該虫捕獲袋の開口部を閉じる閉じ具とを備えていることを特徴とする。
係る構成によれば、ゴキブリとその他の虫のいずれをも捕獲対象とすることができる。  また、捕獲袋に直接容易に虫を入れられる。
さらに、単一の袋としての従来の捕獲袋の開口部の面積および内部の空間よりも、捕獲袋を構成する複数の袋１つ１つの開口部の面積および内部の空間は狭くなるので、内部に入れた虫が広範囲に動き回ることを袋そのもので抑えることができる。
これに加え、閉じ具を併用することで、捕獲袋内の虫を捕獲袋の上から手で間接的に押さえ込む必要がないため、使用者に不快感を生じさせない。
また、閉じ具を使うことで、窒息死の方法で薬剤を使わずに、捕獲袋内で虫を殺処分することもできるという効果がある。
【０００９】
本発明２の虫捕獲器は、請求項１に記載の虫捕獲器において、前記複数個の袋の一部又は全部を、内部が見える透明又は半透明の透光性素材とし、前記複数個の袋の形状を一端が閉じた筒状にした筒状の袋を備えていることを特徴とする。
係る構成によれば、虫捕獲袋内に捕らえた虫を視認することができ、容易に閉じ具で筒状の袋の開口部を閉じられ、袋内に入った虫が再び外に逃げるのを難しくするという効果がある。
【００１０】
本発明３の虫捕獲器は、請求項１又は２に記載の虫捕獲器において、前記複数個の袋を捕獲器本体から着脱するための着脱手段を設けたことを特徴とする。
係る構成によれば、虫を生きたまま捕獲して室外に逃がすという選択と、捕獲袋ごとゴミとして処分するという両者の選択を行うことができる。また、捕獲袋以外の捕獲器の部位に虫が触れることがなく、捕獲袋の交換もできるので衛生的であるという効果がある。
【００１１】
本発明４の虫捕獲器は、請求項１〜３のいずれかに記載の虫捕獲器において、前記フレームの外周面の下端にエッジ部が設けられており、虫捕獲時に前記エッジ部が接する箇所の捕獲面とフレーム下面との間にスペースが設けられていることを特徴とする。
係る構成によれば、フレームの部材自体で虫を潰してしまうことを回避する効果がある。
【発明の効果】
【００１２】
本発明１によれば、ゴキブリとその他の虫のいずれをも捕獲対象とすることができる。  また、捕獲袋に直接容易に虫を入れられる。
さらに、単一の袋としての従来の捕獲袋の開口部の面積および内部の空間よりも、捕獲袋を構成する複数の袋１つ１つの開口部の面積および内部の空間は狭くなるので、内部に入れた虫が広範囲に動き回ることを袋そのもので抑えることができる。
これに加え、閉じ具を併用することで、捕獲袋内の虫を捕獲袋の上から手で間接的に押さえ込む必要がないため、使用者に不快感を生じさせない。
また、閉じ具を使うことで、窒息死の方法で薬剤を使わずに、捕獲袋内で虫を殺処分することもできるという効果がある。
【００１３】
本発明２によれば、虫捕獲袋内に捕らえた虫を視認することができ、容易に閉じ具で筒状の袋を閉じられ、袋内に入った虫が再び外に逃げるのを難しくするという効果がある。
【００１４】
本発明３によれば、虫を生きたまま捕獲して室外に逃がすという選択と、捕獲袋ごとゴミとして処分するという両者の選択を行うことができる。また、捕獲袋以外の捕獲器の部位に虫が触れることがなく、捕獲袋の交換もできるので衛生的であるという効果がある。
【００１５】
本発明４によれば、フレームの部材自体で虫を潰してしまうことを回避する効果がある。
【図面の簡単な説明】
【００１６】
【図１】図１は本発明の第１実施形態の筒状の袋の斜視図である。
【図２】図２は本発明の第１実施形態の捕獲袋装着済み捕獲器の使用状態を示した斜視図である。
【図３】図３は本発明の第１実施形態の捕獲袋装着済み捕獲器の一部拡大図である。
【図４】図４は本発明の第１実施形態の捕獲袋装着前の獲穫器本体の斜視図である。
【図５】図５は本発明の第１実施形態の閉じ具としてのクリップの斜視図である。
【図６】図６は本発明の第１実施形態の捕獲袋装着済み捕獲器の使用状態を示した断面図である。
【図７】図７は本発明の第２実施形態の持ち手部とフレームの連結を説明する斜視図である。
【図８】図８は本発明の第２実施形態の袋の形状とフレームの形状の種々の組み合わせを説明する斜視図である。
【図９】図９は本発明の第２実施形態のフレームの形状を説明する図である。図９の（ａ）は上面側から見たフレームの斜視図である。図９の（ｂ）は下面側から見たフレームの斜視図である。図９の（ｃ）はＡ−Ａ´断面図である。
【図１０】図１０は本発明の第２実施形態のフレームの形状により、虫を潰すことを回避できることを示したＡ−Ａ´断面図である。
【発明を実施するための形態】
【００１７】
以下、本発明の実施の形態を図面に従って説明する。
【００１８】
まず、本発明の第１実施形態について説明する。
【００１９】
図１ないし図２に示すように、袋２を筒状にし、一端部を開口させた筒状の袋３を複数個結合し、開口部全体が蜂の巣状の形状となる捕獲袋６を形成する。これにより、単一の袋として構成される捕獲袋に比べ、この複数の筒状の各袋の開口部３ａの面積や横幅Ｌ１は小さいものとなる。
【００２０】
捕獲袋６を構成する筒状の袋３の材質は、内部を外から可視化するために網状、透明又は半透明の透光性素材Ｍなどにする。
【００２１】
図３に示すように、捕獲袋６のうち、各筒状の袋３どうしを接着する接着部１１は、捕獲袋の開口部６ａ付近にする。一方、その他の部分、すなわち開口部６ａから離れた捕獲袋の奥方向１０では、各筒状の袋３は互いに接着されておらず、分離して独立している。
【００２２】
図４に示すように、フレーム１４に持ち手部１６を連結し、フレーム１４と持ち手部１６が一体になった捕獲器本体１７を形成する。
【００２３】
捕獲器本体１７のフレーム１４に、図２に示すように、捕獲袋６をたとえばゴム紐５ａのような着脱手段５で着脱自在になるよう取り付けて、捕獲袋装着済み捕獲器７を形成する。
【００２４】
虫捕獲器１と併用するための図５に示す閉じ具としてのクリップ１８ａの閉じ部の長さＬ２は、筒状の袋３を挟んで口を完全に閉じられるように、筒状の袋３の横幅L１に対して長くなるようにする。すなわち、クリップ１８ａの閉じ部の長さL２に対して筒状の袋３の横幅L１は短くする。
【００２５】
続いて、本発明の虫捕獲器の第２実施形態について述べる。
【００２６】
筒状の袋３は、内部の虫を外から見えるようにすれば良いのであって、その全部ではなく、一部のみが透明、半透明、網状になっていても良い。
【００２７】
筒状の袋３の素材は、突起や凹凸などがない滑らかな図１に示すような平面素材の他に、虫を登らせやすくための突起や凹凸などを内部に設けたものでも良い。
【００２８】
また、筒状の袋３の素材はビニール、ナイロンなど問わず、以下で説明する機能を有するものであれば、何であっても良い。
【００２９】
筒状の袋３の開口部３ａは、図１に示すような四角形に限定されるものではなく、丸型など他の形状であっても良い。
【００３０】
袋２全体の形状も筒状の角柱、円柱等の柱に限らず、錐や球などであっても良い。
【００３１】
フレーム１４と持ち手部１６との連結部１５は、両者を固定した状態で連結する非可動式でも良いが、角度変更自在の連結方法を用いても良い。
【００３２】
フレーム１４と持ち手部１６を連結する箇所は、図４に示すようなフレーム１４の辺上の任意の一点に限定されるものではなく、たとえば図７に示すように、フレーム１４にまたがる横棒上において連結を行うなどしても良い。
【００３３】
持ち手部１６は非伸縮式の他に、伸縮式、複数の棒からの組み立て式などのいずれであっても良い。
【００３４】
フレーム１４全体の形状は、図４に示すような正方形に限定されるものではなく、丸型など他の形状であっても良い。従って、上記（００２９）に示した筒状の袋３の開口部３ａの自由な形状や、上記（００３０）に示した袋２全体の自由な形状との組み合わせから、たとえば図８に示すような、種々の実施例が考えうる。
【００３５】
フレーム１４は、これを構成する部材１４ａの上面１４ｂに曲面部Ｒを設けることで、尖った角で捕獲袋６が破れるのを防ぐ工夫を施しても良い。
【００３６】
図９ないし図１０に示すように、フレーム１４を構成する部材１４ａは、フレームの外周面１４ｅの下端１４ｃに広い面積を持つものに限らない。部材１４ａ自体で虫９をつぶしてしまうことを回避する目的で、フレームの外周面１４ｅの下端１４ｃにエッジ部Ｅを設け、虫捕獲時にエッジ部Ｅが接する箇所Ｇの捕獲面Ｗとフレーム下面１４ｄとの間にスペースＳを設けてもよい。これにより、虫は潰れずにスペースＳに入ることになる。
【００３７】
なお、上面１４ｂ、下面１４ｄ、外周面１４ｅ、内周面１４ｆからなるフレーム１４の部材１４ａの断面形状は、図９ないし図１０に示すような、台形に曲面部Ｒを付けた形に限定されず、フレーム１４の上面１４ｂ、下面１４ｄ、外周面１４ｅ、内周面１４ｆのそれぞれの長さ、それぞれの捕獲面Ｗに対する角度、およびそれぞれが直線であるか曲線であるかは、スペースＳによって虫を潰すことを回避する機能を有する範囲において、どのようであっても良い。
【００３８】
ゴム紐５ａは捕獲袋６にあらかじめ組み込んで、捕獲袋６と一体となったゴム紐付き捕獲袋として用いても良いし、捕獲袋６に組み込まずに独立させて別に用意して用いても良い。又、着脱手段５はゴム紐５ａに限定せず、ゴムバンドのような他の弾性体、磁石、面ファスナーなどのいずれを用いる方式であっても良い。
【００３９】
クリップ１８ａは、図２ないし図４に示すように、たとえば持ち手部の先端４に空洞部分を設けるなどして、捕獲器本体１７のいずれかの場所に、専用の収納部を設けても良い。
【００４０】
閉じ具１８として用いるものはクリップ１８ａに限らず、たとえばワイヤータイ、タイラップなど何であっても良い。
【００４１】
次に、本発明の虫捕獲器の使用方法を以下説明する。
【００４２】
捕獲袋装着済み捕獲器７を事前に組み立てておく。ゴキブリ、蚊、蝿、クモ、ムカデ、蟻など種類を問わず、虫を使用者が室内で見つけたら、捕獲袋装着済み捕獲器７を振り下ろす。フレームの内側１３に虫９を捕らえたら、地面の捕獲面Ｗとフレーム１４との間に隙間ができないように、フレーム１４を捕獲面Ｗに密着させておく。
【００４３】
虫９が壁や天井にいる場合や、空中を飛翔している場合も上記(００４２)と同様に、捕獲対象の虫９に対して、捕獲袋装着済み捕獲器７を振り下ろし、虫９を捕らえたら、隙間ができないようにフレーム１４を壁や天井等の捕獲面Ｗに密着させておく。
【００４４】
こうして、フレームの内側１３に虫９を捕らえることに成功した場合、捕獲袋６を構成する複数の筒状の袋３のうち、いずれか一つの内部に虫９を捕らえたことになる。このとき、筒状の袋３の横幅Ｌ１と開口部３ａの面積および内部の空間が、単一の袋として構成される捕獲袋よりも狭くなっているので、内部に入った虫９の動きを袋そのもので抑えることができる。これにより、虫９が広い範囲を自由に動き回ることがない。
【００４５】
続いて、透光性素材Ｍを用いることで内部が見える透明や半透明になっている捕獲袋６の中の虫９の状態を目で確認する。虫９が捕獲袋の開口部６ａ付近にとどまっている場合には、狭い空間に進みたがる性質を利用して、虫９が捕獲袋の奥方向１０、つまり開口部６ａから離れた方向に自ら進むのを待つようにする。あるいは、捕獲袋装着済み捕獲器７全体を前後左右に少し揺らすことで、虫９に刺激を与えて驚かせて、捕獲袋の奥方向１０へ進ませる。
【００４６】
ただし、虫９がフレームの内側１３に捕らえられると同時に、捕獲袋の奥方向１０にすでに進んでいる場合には、上記(００４５)の過程は、省略できる。
【００４７】
なお、図６に示すように、虫９が捕獲袋６の内部の壁面に登って進んだときに、捕獲袋６の全部が透明だと、グロテスクな虫の腹部２０が見えることがある。そこで、壁面に登る前の虫９が腹部２０を地面のほうに向けて使用者に見せない開口部６ａ付近は袋の内部を見やすい透明にし、開口部６ａ付近以外の部分、すなわち腹部２０が見えてしまう部分のみを半透明にしても良い。
【００４８】
上記の(００４５)又は(００４６)の過程を経て、虫９が捕獲袋の奥方向１０に進んだら、図６に示すように、虫９が入った筒状の袋３の開口部３ａと虫９のいる箇所との間の部分を、クリップ１８ａで留めて口を塞ぐ。この際、使用するクリップの閉じ部の長さＬ２が、筒状の袋３の横幅Ｌ１よりも長くなるように形成されていることで、筒状の袋３の開口部３ａをクリップ１８ａで隙間なく完全に塞ぐことができる。
【００４９】
筒状の袋３に虫９を閉じ込める上記(００４８)の過程では、素手ではなくクリップ１８ａを使用している。このことで、中に入った虫９を、逃がさないように袋の上から手で間接的に押さえておく必要がなくなり、使用者に不快感が生じない。
【００５０】
クリップ１８ａで筒状の袋３の中に虫９を閉じ込めた後は、虫９を生きたまま外に逃がすという選択と、捕獲袋６ごと虫９をゴミ箱などに処分するという二つの選択が可能である。
【００５１】
まず、虫９を生きたまま外に逃がすという選択を行う場合は、虫９が閉じ込められた捕獲袋６を捕獲袋装着済み捕獲器７の状態で外に持ちだすか、又は、虫９が閉じ込められた捕獲袋６のみをフレーム１４から取り外して、単独で室外に持ち出す。
【００５２】
この捕獲袋を室外に持ち出す(００５１)の過程においても 、まだクリップ１８ａをはずしていないので、捕獲袋６の上から間接的に手で虫９を押さえておく必要はない。
【００５３】
使用者が室外に出たら、虫９を閉じ込めていたクリップ１８ａをはずす。これにより、クリップ１８ａを留める前と同様の口が捕獲袋６に再び出来るので、そこを出口として、虫９が室外の空間へと逃げていく。
【００５４】
この(００５３)の場合と異なり、クリップ１８ａをはずして出口が出来ても、虫９が捕獲袋６の内部に依然として留まる場合は、捕獲袋６の虫９が留まっている箇所を狙って、はずしたクリップの先端１９をぶつけるように、袋の上から虫９をクリップ１８ａで叩いて追い出すようにする。これにより、捕獲袋６の虫９のいる箇所を手で触れることなく、外部に虫９を逃がすことが出来、使用者に不快感が生じない。
【００５５】
上記(００５３)又は(００５４)を経て、虫９が出て行った後の使用済み捕獲袋６は、繰り返し使うこともできる。しかし、衛生上の不快感を感じる場合は、処分して新しいものに交換することができる。
【００５６】
上記(００５０)に記載したもう一方の選択肢である捕獲袋６ごと虫９をゴミ箱などに処分するという選択をする場合には、まずゴム紐５ａで取り付けてあった捕獲袋６をフレーム１４から外す。このとき、クリップ１８ａははずさず、虫９を中に閉じ込めたままにする。
【００５７】
この取り外した捕獲袋６をそのままゴミ箱等に捨てることも可能であるが、クリップ１８ａを捨てずに再利用したい場合には、ゴム紐５ａの余った部分８で、虫９の入った捕獲袋６を縛ってから、留めてあったクリップ１８ａをはずして回収する。これにより、ゴム紐５ａの余った部分８をクリップ１８ａの替わりとして使用することも可能となる。
【００５８】
虫９が閉じ込められている捕獲袋６を構成する筒状の袋３は、(００４４)に記載の通り、内部の空間が狭いので空気が少ない。これに加え、クリップ１８ａやゴム紐５ａの余った部分８で口を閉じるため、一定時間経過させることで、薬剤を使わず虫９を窒息させ、殺処分することもできる。
【００５９】
ここまでの上記全過程において、捕獲袋装着済み捕獲器７のうち、虫９が直接触れるのは、交換可能な捕獲袋６の内部のみである。その他の半永久的に繰り返し使えるフレーム１４、持ち手部１６、クリップ１８ａに虫９が直接触れることはなく、衛生的である。
【００６０】
以上、本発明の実施の形態について詳述したが、本発明は掛かる特定の実施の形態に限定されるものではなく、特許請求の範囲に記載された本発明の要旨の範囲において、種々の変形・変更が可能である。
【符号の説明】
【００６１】
１      虫捕獲器
２      袋
Ｌ１    筒状の袋の横幅
３      筒状の袋
３ａ    筒状の袋の開口部
４      持ち手部の先端
５      着脱手段
５ａ    ゴム紐
６      捕獲袋
６ａ    捕獲袋の開口部
７      捕獲袋装着済み捕獲器
８      ゴム紐の余った部分
９      虫
１０    捕獲袋の奥方向
１１    袋どうしの接着部
１３    フレームの内側
１４    フレーム
１４ａ  部材
１４ｂ  フレームの上面
１４ｃ  フレームの外周面の下端
１４ｄ  フレームの下面
１４ｅ  フレームの外周面
１４ｆ  フレームの内周面
１５    連結部
１６    持ち手部
１７    捕獲器本体
１８    閉じ具
１８ａ  閉じ具としてのクリップ
１９    クリップの先端
Ｌ２    クリップの閉じ部の長さ
２０    虫の腹部
Ｒ      曲面部
Ｅ      エッジ部
Ｓ      スペース
Ｇ      虫捕獲時にエッジ部が接する箇所
Ｍ      透光性素材
Ｗ      捕獲面
【図１】
2017035053.tif 000003
【図２】
2017035053.tif 000004
【図３】
2017035053.tif 000005
【図４】
2017035053.tif 000006
【図５】
2017035053.tif 000007
【図６】
2017035053.tif 000008
【図７】
2017035053.tif 000009
【図８】
2017035053.tif 000010
【図９】
2017035053.tif 000011
【図１０】
2017035053.tif 000012